(57)【要約】【課題】保持器の柱部の変形や内輪軌道面の組付けによる損傷が防止できると共に、転動体の脱落を防止できる転がり軸受を提供する。【解決手段】内輪１２と、外輪３０と、前記内外輪間に転動自在に介装された複数の転動体２０と、前記転動体２０を保持するポケットを有する開放形もみ抜き保持器４０とを備えた転がり軸受１０において、前記内輪１２の軸方向両端部に別体の鍔部材５０を備えたことを特徴とする転がり軸受。【選択図】      図１
2004346971.tif 000002
【特許請求の範囲】
【請求項１】
内輪と、外輪と、前記内外輪間に転動自在に介装された複数の転動体と、前記転動体を保持するポケットを有する開放形もみ抜き保持器とを備えた転がり軸受において、
前記内輪の軸方向両端部に別体の鍔部材を備えたことを特徴とする転がり軸受。
【請求項２】
前記鍔部材と前記内輪は、圧入によって取付けられることを特徴とする請求項１に記載の転がり軸受。
【請求項３】
転動体を保持するポケットを有する開放形もみ抜き保持器が案内された内輪に、前記転動体を前記内輪の両端部から内輪軌道面に向けて挿入し、前記内輪の両端部に鍔部材を取付け、前記鍔部材が前記内輪に取付けられた状態で外輪を前記内輪に組付けることを特徴とする転がり軸受の組立て方法。
【発明の詳細な説明】
【０００１】
【発明の属する技術分野】
本発明は、転がり軸受に関し、詳しくは大型の産業機械（例えば、鉄鋼設備や製紙設備）等の環境での仕様に適した開放形もみぬき保持器を備えた転がり軸受及び転がり軸受の組立て方法に関する。
【０００２】
【従来の技術】
従来、開放形もみ抜き保持器を備えたラジアル自動調心ころ軸受として、特許文献１に開示されたものがある。従来のころ軸受８０は、図５に示されるように、内輪８２に２列の内輪軌道面８３が形成されており、内輪軌道面８３上に転動体であるたる形のころ８６が複数配置されている。外輪８８には球面状の外輪軌道面８９が形成されている。ころ８６は開放形のもみ抜き保持器９０によって保持されている。
【０００３】
保持器９０は、２列のころ８６間を通る環状の円環部９２と、円環部９２から軸方向両側に延出して各列の複数のころ８６間に配置される複数の柱部９４とを備えている。周方向に等間隔をあけて複数突設された柱部９４間には、ポケットが形成されており、各ポケット内にころ８６が保持されている。
【０００４】
上述したころ軸受８０では、保持器９０は開放形であるため、ころ８６は内輪８２の小鍔部８４の内側面にころ８６の端面を対向させて、保持器９０からころ８６が脱落する、いわゆるころばれを防止している。
【０００５】
図６（ａ）、６（ｂ）に示される従来の組立工程において、ころ８６を内輪８２と保持器９０に組み込む際には、ころ８６は小鍔部８４の外周面に設けられた凹部８５（図７参照）に乗せられる。そして、保持器９０の柱部９４を工具（図示せず）で図６（ａ）の矢印Ａの方向に持ち上げながら、ころ８６が小鍔部８４と内輪軌道面８３との間の段部を越えるように図６（ａ）の矢印Ｂの方向に押し込まれる。これにより、ころ８６は保持器９０のポケット内に挿入され（パチン挿入され）、ころ８６は内輪８２の軌道面８３上に組み込付けられる。
【０００６】
【特許文献１】
特開２００１−２２１２３７号公報（第１図）
【０００７】
【発明が解決しようとする課題】
しかしながら、上記の従来の方法では、保持器９０の柱部９４を工具で持ち上げながら、ころ８６は強制的にポケットに押し込まれるため、保持器９０の柱部９４の変形や内輪軌道面８３に組付けによる損傷が生じてしまうという問題があった。
【０００８】
本発明は、保持器の柱部の変形や内輪軌道面の組付けによる損傷を防止し、さらに、転動体（ころ）の脱落を確実に防止することができる転がり軸受を提供することを目的とする。
【０００９】
【課題を解決するための手段】
本発明の目的は、下記構成により達成される。
（１）内輪と、外輪と、前記内外輪間に転動自在に介装された複数の転動体と、前記転動体を保持するポケットを有する開放形もみ抜き保持器とを備えた転がり軸受において、前記内輪の軸方向両端部に別体の鍔部材を備えたことを特徴とする転がり軸受。
（２）前記鍔部材と前記内輪は、圧入によって取付けられることを特徴とする前記（１）に記載の転がり軸受。
（３）転動体を保持するポケットを有する開放形もみ抜き保持器が案内された内輪に、前記転動体を前記内輪の両端部から内輪軌道面に向けて挿入し、前記内輪の両端部に鍔部材を取付け、前記鍔部材が前記内輪に取付けられた状態で外輪を前記内輪に組付けることを特徴とする転がり軸受の組立て方法。
【００１０】
上記転がり軸受及びその組立て方法によれば、内輪部材の両端面に別体の鍔部材を備えることにより、転動体は、鍔部材が内輪に取付けられる前に、内輪と保持器に組み込まれるため、保持器の柱部に無理な力をかけずに転動体を組み込むことができる。
また、転動体を内輪と保持器に組み込んだ後に、別体の鍔部材を内輪に圧入で取り付けることにより、ころの脱落を確実に防止することができる。
【００１１】
【発明の実施の形態】
以下、本発明の転がり軸受の一実施形態を図１乃至図４に基づいて詳細に説明する。図１は、本発明の転がり軸受の一実施形態を示す要部断面図、図２は図１における内輪をＩＩ方向から見た図、図３はころが内輪と保持器に組み込まれる状態を示す図であり、図３（ａ）はころが組み込まれる前の状態を示し、図３（ｂ）はころが組み込まれた状態を示す図、図４は図１のＩＶ−ＩＶ線に沿う断面図である。
【００１２】
図１に示すように、本実施形態の転がり軸受であるラジアル自動調心ころ軸受１０において、転動体であるたる形のころ２０が、内輪１２に形成された２列の内輪軌道面１４と、外輪３０に形成された球面状の外輪軌道面３２との間に複数配置されている。ころ２０は開放形もみ抜き保持器４０によって保持されている。
【００１３】
保持器４０は、２列のころ２０間を通る環状の円環部４２と、円環部４２から軸方向両側に延出して各列の複数のころ２０間に配置される複数の柱部４４とを備えている。周方向に等間隔をあけて複数突設された柱部４４間には、ポケットが形成されており、ポケット内にころ２０が保持されている。
【００１４】
図１，２に示されるように、内輪１２は、２列の内輪軌道面１４間で、かつ、保持器４０の円環部４２の内側に、ころ２０を案内する案内輪４８が配置されている。さらに、内輪１２の軸方向両端部には、内輪軌道面より小径の一対の両端側外周面１８が形成されており、本実施形態の鍔部材である別体の小鍔部品５０が、一対の両端側外周面１８上に取付けられている。小鍔部品５０は内輪１２と同じ材質で構成される。
【００１５】
次に、図３（ａ）、３（ｂ）を参照して、上述のラジアル自動調心ころ軸受１０の組立て方法を示す。図３（ａ）に示されるように、保持器４０の円環部４２は案内輪４８を介して内輪１２上に案内される。ころ２０は内輪軌道面１４に沿って保持器４０の円環部４２に向かって図３（ａ）の矢印Ｃの方向に挿入される。ころ２０が内輪軌道面１４上に配置された後、別体の小鍔部品５０は、一対の両端側外周面１８に締まり嵌めとして圧入によって取付けられる（図３（ｂ）参照）。これにより、ころ２０は図４に示されるように、ころ２０の転動面が柱部４４の案内面と適合するように保持器４０のポケット内に挿入され、ころ２０は内輪１２の軌道面１４上に組み込付けられる。その後、外輪軌道面３２がころ２０の転動面に覆い被さるように外輪３０は内輪１２に取付けられ、図１に示されたころ軸受１０が組み立てられる。
【００１６】
以上のようにして小鍔部品５０を内輪１２に取付ける前の状態で、ころ２０が内輪１２と保持器４０に組み込まれることから、保持器４０を工具で持ち上げる必要なく、保持器に無理な力をかけずに、ころ２０を保持器４０のポケット内に組み込むことができる。さらに、小鍔部品５０は内輪１２の軸方向両端部に圧入で取付けられることから、保持器４０からころ２０が脱落することを確実に防止することができる。
【００１７】
なお、本発明は、前述した実施形態に限定されるものではなく、適宜な変形、改良等が可能である。
小鍔部品５０は、軸受組立て時や軸受内部にグリースを塗布する時等、外輪軌道面３２がころ２０の転動面に覆い被さっていない状態でのころばれを防止する機能のみが実施されればよい。このため、ころが挿入された内輪に小鍔部品５０が取付けられた状態で、外輪３０を内輪１２に組付けた後、小鍔部品５０は取り外してもよい。
本実施形態では、小鍔部品５０は内輪１２と同じ材質を用いたが、運転中は不要でころばれを防止する機能のみ実施されればよいので、小鍔部品はゴムや高強度プラスチック材等を利用することができる。
さらに、転動体として、たる形のころの他に円筒ころが用いられてもよい。
【００１８】
【発明の効果】
以上説明したように、本発明によれば、保持器の変形や内輪軌道面の組付けによる損傷が防止され、軸受使用時の表面疲労要因を阻止できるため、長寿命の転がり軸受を提供できる。
【図面の簡単な説明】
【図１】本発明の転がり軸受の一実施形態を示す要部断面図である。
【図２】図１における内輪をＩＩ方向から見た図である。
【図３】ころが内輪と保持器に組み込まれる本発明の組立て方法を示す図で、図３（ａ）はころが組み込まれる前の状態を示し、図３（ｂ）はころが組み込まれた状態を示す。
【図４】図１のＩＶ−ＩＶ線に沿う断面図である。
【図５】従来の転がり軸受を示す要部断面図である。
【図６】ころが内輪と保持器に組み込まれる従来の組立て方法を示す図で、図６（ａ）はころが組み込まれる前の状態を示し、図６（ｂ）はころが組み込まれた状態を示す。
【図７】図５における内輪をＶＩＩ方向から見た図である。
【符号の説明】
１０                            ラジアル自動調心ころ軸受（転がり軸受）
１２                            内輪
２０                            ころ（転動体）
３０                            外輪
４０                            開放形もみ抜き保持器
５０                            小鍔部品（鍔部材）
【図１】
2004346971.tif 000003
【図２】
2004346971.tif 000004
【図３】
2004346971.tif 000005
【図４】
2004346971.tif 000006
【図５】
2004346971.tif 000007
【図６】
2004346971.tif 000008
【図７】
2004346971.tif 000009